(57)【要約】【課題】円筒状の養殖かごの各段の棚のデットスペースをできるだけ減少して潮通しをよくすると共に養殖対象の居住区の面積を広くとるこができるようにする。【解決手段】支持枠１を複数段に配置し，支持枠１の外側に設けられた網地から成る外囲６を取付ける。各段の支持枠１にはそれぞれＹ字状の補強用桟２を取付けてその上から網地を取り付けて棚７を形成する。外囲６と棚７とによって複数段の養殖対象の収納室８を形成する。上記支持枠１の外周の補強用桟２取付け部位には３本の吊りロープ９を連結する。【選択図】  図１
2004350593.tif 000002
【特許請求の範囲】
【請求項１】
複数段に配置された円形支持枠と，この各段の円形支持枠の外側に設けられた網地から成る外囲と，上記円形支持枠に取付けられたＹ字状の補強用桟と，上記各段の円形支持枠に取り付けられ，上記外囲内に複数段の収納室を形成する網地から成る棚と，上記外囲の胴部に形成された養殖対象の投入・排出部と，上記円形支持枠の外周の補強用桟取付け部位に連結された３本の吊りロープとを備えた連段養殖かご。
【請求項２】
Ｙ字状の補強用桟の３方向に延びる枝部の末端が円形支持枠に固定されており，３つの枝部の基端が固定されており，かつ，３つの枝部の固定された基端が円形支持枠のほぼ中心に位置する請求項１に記載の連段養殖かご。
【請求項３】
Ｙ字状の補強用桟の３つの枝部の基端が適宜の固定部材により固定されている請求項１又は請求項２に記載の連段養殖かご。
【請求項４】
Ｙ字状の補強用桟の３つの枝部の基端が溶接によって固定されている請求項３に記載の連段養殖かご。
【発明の詳細な説明】
【０００１】
【発明の属する技術分野】
本発明は，帆立貝，かき，真珠，アワビのような貝類，ウニ等の養殖に用いる連段養殖かごに関するものである。
【０００２】
【従来の技術】
従来，この種の連段養殖かごとして，特開２００１−１２０１０５号公報に記載の通り，複数段に配置された円形支持枠と，この各段の円形支持枠の外側に設けられた網地から成る外囲と，合成樹脂性の紐等で連結された交叉部分がほぼ中心を通るように上記円形支持枠に取り付けられた２本の補強用桟と，上記各段の円形支持枠に取り付けられ，上記外囲内に複数段の収納室を形成する網地から成る棚と，上記外囲の胴部に開閉し得るように形成された養殖対象の投入・排出部と，上記円形支持枠の外周の補強用桟取付け部位に連結された４本の吊りロープとを備えたものが知られている。
【０００３】
この連段養殖かごを使用するには，養殖に際し，例えば，投入・排出部を開いて半成貝を収納室内に投入し，投入・排出部を閉じた後，吊りロープで吊り上げて連段養殖かごを海中に沈めて養殖する。また，養殖後の貝類を次工程である中間育成における間引きのための取り出し，例えば，耳吊り養殖，荒目の養殖かごへの移し替え，又は，養殖後の出荷のための取り出しに際し，連段養殖かごを海中から船上，若しくは陸上へ引き上げる。そして，投入・排出部を開いて連段養殖かごを横向きにして貝類を落下させて取り出す。
【０００４】
【特許文献】
特開２００１−１２０１０５号公報（第２頁０００２，０００６  図１，図２）
【０００５】
【発明が解決しようとする課題】
ところで，健康で品質のよい貝類等を育成するためには，プランクトン摂取の関係から，できるだけ潮通しをよくし，１枚当たりの居住区の面積を広くとること，養殖している海中での振動，揺れ，ショック等のストレスは成長に悪影響を与えるので，できるだけストレスを与えないことが重要とされている。
【０００６】
従来の連段養殖かごは，上記の通り，２本の補強用桟を十字型に交叉させ，交叉部分を線材で結束する等して連結すると共に２本の補強用桟の末端を円形の支持枠に取り付けた構造を採択しているために，棚の補強用桟の上方と補強用桟に隣接する部分は安定が悪く貝類の居住区に適さないことから，棚の面積の内，かなりの部分がデットスペースとなっている。
【０００７】
例えば，帆立貝の本養殖の場合，秋口に直径２．５ｃｍ程度に成長した貝を入れ，翌春６．５〜７ｃｍ程度となるまで成長させるが，この期間の成長段階において平均サイズが４．５ｃｍと考え，また，棚の補強用桟の真上と補強用桟に掛かる部分は貝が居住できないと考えると，補強用桟の左右４．５ｃｍはデットスペースとなる。この条件で計算すると，支持枠の直径が５０ｃｍとすると，棚１段当たりの面積は，２５×２５×３．１４＝１９６２．５平方ｃｍ，デットスペースの面積は，４．５×５０×２−４．５×４．５＝４２９．５平方ｃｍとなり，実に，棚の面積の約２２％がデットスペースとなっている。
【０００８】
そして，従来の連段養殖かごは，上記の通り，２本の補強用桟の交叉部分を合成樹脂性の紐等で結束する等して連結してはいるが固定はしていないため，支持枠の補強用桟を取り付けていない部分に対して荷重が加わると変形することがある。
【０００９】
また，連段養殖かごにおいては，特に，養殖後の連段養殖かごを海中から船上，若しくは陸上へ引き上げる際の重心が，潮流や吊り上げによる揺れや貝の移動により，支持枠の中心から移動することが日常茶飯で起こる。しかし，従来の連段養殖かごは，支持枠の外周の補強用桟取付け部位に連結される吊りロープが４本であるため，養殖対象の貝類等が入っている状態での安定した吊り下げが難しい。
【００１０】
更に，養殖かごは，海中で潮流の方向の急変，うねり，時化等により激しい揺れが生じると，１本の吊りロープが緩み再び自重で元の状態に戻ろうとする。このとき，緩んでいたロープが再び張ることによりショックが生じる。このシャクリの動作は，貝類にストレスを与え成長上悪影響を与える。このことから，吊りロープの本数は少ないことが望ましい。
【００１１】
本発明は，上記のような従来の問題を解決するものであり，棚のデットスペースをできるだけ減少して潮通しをよくすると共に養殖対象の居住区の面積を広くとるこができるようにし，また，円形の支持枠の強度，ひいては支持枠の形状保持力が大きく，更に，安定性に優れた連段養殖かごの提供を目的とする。
【００１２】
【課題を解決するための手段】
上記課題を解決するために，本発明は，複数段に配置された円形支持枠と，この各段の円形支持枠の外側に設けられた網地から成る外囲と，上記円形支持枠に取付けられたＹ字状の補強用桟と，上記各段の円形支持枠に取り付けられ，上記外囲内に複数段の収納室を形成する網地から成る棚と，上記外囲の胴部に形成された養殖対象の投入・排出部と，上記円形支持枠の外周の補強用桟取付け部位に連結された３本の吊りロープとを備えたものである。
【００１３】
そして，上記構成において，Ｙ字状の補強用桟は，プレス加工等により一体成形することもできるし，３方向に延びる枝部の末端を円形支持枠に固定する一方３つの枝部の基端を固定して形成することもできる。そして，Ｙ字状の補強用桟の中心部を円形支持枠のほぼ中心に位置することができる。
【００１４】
また，Ｙ字状の補強用桟を３本の棒材，或いは線材を用いて形成することができ，その際，３方向に延びる枝部の基端を，線材での結束，線材で結束した後合成樹脂で被覆のように別の固定手段を用いて固定することもできるし，溶接により直接に固定することもできる。
【００１５】
【発明の実施の形態】
以下、  図面を参照して，本発明の実施の形態を説明する。
【００１６】
図１ないし図４に示すように，円形の支持枠１が所望間隔をおいて上下方向に複数段に配置されている。各段の支持枠１にはＹ字状の補強用桟２が，図３に示したようにその３方向に延びる枝部２ａの末端を折り返すことにより取り付けられている。補強用桟２は，図２に示したように３本の線材を用いて形成されており，１２０度の角度を配してその基端を溶接し，Ｙ字状に形成してある。
【００１７】
支持枠１の外側には網状物，図示例では合成繊維製の網地から成り，円筒状の胴部３と円形の底部４と円形の天井５とを有する外囲６が連結状態で取り付けられている。胴部３内には中間部の各段の支持枠１上で網状物，図示例では図４に示したように合成繊維製の網地から成る円形状の棚７が支持枠１に連結状態で取り付けられて支持されている。
【００１８】
図示しないが，外囲６の胴部３には収納室８に養殖対象を投入し収納室８から養殖対象を排出するための投入・排出部が設けられる。養殖対象の投入・排出部の形態は，各収納室８に対応して突き合わせ状の縦割れ目を外囲６の胴部３に形成したものであれ，外囲６の胴部３に軸心方向に沿って観音開き式に全収納室８を開閉し得るように形成したものであれ，任意のものを選択することができる。
【００１９】
各段の支持枠１の外周の補強用桟２の取付け部位には，それぞれ吊りロープ９の中間部が連結され，計３本の吊りロープ９の上方突出部と下方突出部は支持枠１のほぼ中心線上で束ねられている。吊りロープ９の上端には必要に応じて連段養殖かごを浮かせるための浮玉（図示せず）が取り付けられ，吊りロープ９の下端には必要に応じて重り（図示せず）が取り付けられる。
【００２０】
以上のように構成された連段養殖かごを使用するには，養殖対象の投入・排出部を開いて半成貝等の養殖対象を各収納室８に所定数量収納し，投入・排出部を閉じる。そして，養殖対象を収納した連段養殖かごを海中に沈めて吊りロープ９の上端を海上に係留してある筏（図示せず）に連結したり，吊りロープ９の上端に浮玉を取り付けて海中に沈めた状態で支持する。この状態で半成貝等の養殖対象を養殖するが，上記の連段養殖かごは，補強用桟２がＹ字状に形成してあるので棚のデットスペースが少なく，養殖対象の居住区の面積を広くとるこができる。
【００２１】
前記した，２本の補強用桟を十字型に交叉させた従来の養殖かごと同じ条件とすると，棚７の１段当たりの面積は，２５×２５×３．１４＝１９６２．５平方ｃｍ，１段当たりのデットスペースの面積は，４．５×２５×３−４．５×４．５＝３１７．２５平方ｃｍとなり，デットスペースは棚７の面積の約１６％となり，養殖対象の居住区の面積を従来の養殖かごと比較して７％広くとることができる。さらに，例えば，帆立貝の半成貝（通常８〜９ｃｍ）を養殖かごに入れて本養殖する場合，２本の補強用桟を十字型に交叉させた従来の養殖かごであれば，１／４のスペースに２枚の計算で棚１段当たり計８枚を入れるのが通例であるが，上記した連段養殖かごでは，１／３のスペースに３枚の計算で棚７の１段当たり計９枚を入れることができ，これは比率でいえば１２．５％の効率向上となり，実際上は，養殖対象の居住区の面積の拡大率以上の作業効率向上の効果がある。
【００２２】
そして，上記の連段養殖かごは，全体が円筒形に形成されているのに加えて従来の養殖かごと比較して吊りロープ９が３／４，補強用桟２が３／４と少なく，生産コストを削減することができるだけでなく，あらゆる角度の水流からも均一を影響を受けることとなり，潮流の悪影響を受け難くなり海中で安定させることができ，軽量化も図ることができ，海草・フジツボ等の海洋生物の付着も少ない利点がある。
【００２３】
また，上記の連段養殖かごは，支持枠１が補強用桟２の取付け部位以外からの荷重を受けても補強用桟２の枝部２ａの基端が溶接してあって一体化しているため，補強用桟２が支え，変形することが少ない。
【００２４】
また，上記の連段養殖かごは，吊りロープが３本であるから，養殖後の連段養殖かごを海中から引き上げる際に重心移動があっても安定した吊り下げができるし，養殖中の海中で潮流の方向の急変，うねり，時化等による揺れにも安定で貝類にストレスを与えることが少ない。
【００２５】
【発明の効果】
以上説明したように，本発明によれば，棚のデットスペースをできるだけ減少して潮通しをよくすることができると共に養殖対象の居住区の面積を広くとるこができるようになり，養殖作業の効率を向上させることができるし，また，円形の支持枠の強度，ひいては支持枠の形状保持力を大きくすることができ，更に，安定性に優れた連段養殖を提供することができる。
【図面の簡単な説明】
【図１】本発明の１実施形態に係る連段養殖かごの概略構成図である。
【図２】各段の支持枠の平面図である。
【図３】支持枠へ補強用桟の取付け状態を示す斜視図である。
【図４】支持枠へ棚を取り付けた状態を示す平面図である。
【符号の説明】
１        支持枠
２        補強用桟
２ａ      枝部
３        胴部
４        底部
５        天井
６        外囲
７        棚
８        収納室
９        吊りロープ
【図１】
2004350593.tif 000003
【図２】
2004350593.tif 000004
【図３】
2004350593.tif 000005
【図４】
2004350593.tif 000006